(57)【要約】【課題】ＩＥＣ６０９５８（ＩＥＣ６１９３７）によりＤＳＤ信号を適切に伝送可能とする。【解決手段】送信装置は、ＩＥＣ６１９３７に対応するサブフレームに対して、ＤＳＤ信号を１６ビットずつ格納し、Ｃビットにより形成されるチャンネルステイタス情報においては、Additional format informationを“001”としてDSD信号であることを示す。さらに、サブフレームにおけるtime slot27には、“0”を格納して、ＩＥＣ６１９３７で規定するシンクワードＰａが現れることがないようにし、ＤＳＤに未対応の受信装置が、ＤＳＤ信号のバースト受信を開始してしまうことがないようにする。【選択図】図５
2009033649.tif 000002
【特許請求の範囲】
【請求項１】
送信装置と受信装置とを備えて成り、
送信装置は、
第１の形式種別に含まれるデジタルコンテンツ信号である第１形式コンテンツ信号を伝送するための所定伝送規格において規定される単位送信データに対して、上記第１形式コンテンツ信号以外とされる所定の形式種別のデジタルコンテンツ信号である第２形式コンテンツ信号を格納するとともに、上記単位送信データに格納するデジタルコンテンツ信号形式が第１形式コンテンツ信号であることを元来示すべき信号種別識別情報について、上記第２形式コンテンツ信号であることを示すものとして定めた内容となるようにして、かつ、上記単位送信データにおける所定のビット位置範囲について、上記第１形式コンテンツ信号を所定の伝送方式により伝送するときに使用される同期信号に一致するビット値のパターンとなることがないようにして、上記単位伝送データを生成する伝送用データ生成手段と、
上記伝送用データ生成手段により生成された単位伝送データを有して成る第２形式コンテンツ信号対応送信信号を、上記所定伝送規格に対応する伝送路を経由して送信出力する部位を有して形成される送出手段とを備え、
上記受信装置は、
上記所定伝送規格に対応する伝送路を経由して伝送されてくる送信信号を受信する部位を有して形成される受信手段と、
上記受信手段により受信された送信信号が上記第２形式コンテンツ信号対応送信信号である場合においては、受信した上記第２形式コンテンツ信号対応送信信号から生成した上記信号種別指示情報の内容について、上記第２形式コンテンツ信号が格納されていることを示すものであることを識別できるようにされた信号種別識別手段とを備える、
ことを特徴とするコンテンツデータ送受信システム。
【請求項２】
第１の形式種別に含まれるデジタルコンテンツ信号である第１形式コンテンツ信号を伝送するための所定伝送規格において規定される単位送信データに対して、上記第１形式コンテンツ信号以外とされる所定の形式種別のデジタルコンテンツ信号である第２形式コンテンツ信号を格納するとともに、上記単位送信データに格納するデジタルコンテンツ信号形式が第１形式コンテンツ信号であることを本来示すべき信号種別識別情報について、上記第２形式コンテンツ信号であることを示すものとして定めた内容となるようにして、かつ、上記単位送信データにおける所定のビット位置範囲について、上記第１形式コンテンツ信号を所定の伝送方式により伝送するときに使用される同期信号に一致するビット値のパターンとなることがないようにして、上記単位伝送データを生成する伝送用データ生成手段と、
上記伝送用データ生成手段により生成された単位伝送データを有して成る第２形式コンテンツ信号対応送信信号を、上記所定伝送規格に対応する伝送路を経由して送信出力する部位を有して形成される送出手段と、
を備えることを特徴とするコンテンツデータ送信装置。
【請求項３】
上記伝送用データ生成手段は、
上記単位送信データに格納されて伝送されるオーディオ信号としての第２形式コンテンツ信号が、どのオーディオチャンネルに対応するものであるのかを示すチャンネル識別情報が、上記単位送信データにより伝送されるようにして、上記単位送信データを生成する、
ことを特徴とする請求項２に記載のコンテンツデータ送信装置。
【請求項４】
上記伝送用データ生成手段は、
上記単位送信データに格納されて伝送される第２形式コンテンツ信号についてのオーディオ信号としてのサンプリング周波数を所定規則に従って除算して得られる値を示すサンプリング周波数識別情報が、上記単位送信データにより伝送されるようにして、上記単位送信データを生成する、
ことを特徴とする請求項２に記載のコンテンツデータ送信装置。
【請求項５】
上記伝送用データ生成手段は、
上記単位送信データに格納されて伝送される第２形式コンテンツ信号についての暗号化に関する所定内容の情報が、上記単位送信データにより伝送されるようにして、上記単位送信データを生成する、
ことを特徴とする請求項２に記載のコンテンツデータ送信装置。
【請求項６】
第１の形式種別に含まれるデジタルコンテンツ信号である第１形式コンテンツ信号を元来伝送するものとして規定された所定伝送規格に対応する伝送路を経由して伝送されてくる送信信号を受信する部位を有して形成される受信手段と、
上記受信手段により受信された送信信号が、上記第１形式コンテンツ信号以外とされる所定の形式種別のデジタルコンテンツ信号である第２形式コンテンツ信号を伝送するための第２形式コンテンツ信号対応送信信号である場合に対応しては、この受信した上記第２形式コンテンツ信号対応送信信号から生成するもので、格納するデジタルコンテンツ信号形式の種別を示す信号種別指示情報の内容について、上記第２形式コンテンツ信号であることを示すものであることを識別できるようにされた信号種別識別手段と、
を備えることを特徴とするコンテンツデータ受信装置。
【請求項７】
上記受信した上記第２形式コンテンツ信号対応送信信号から生成するサンプリング周波数識別情報が示す値を所定規則に従って乗算することにより、この第２形式コンテンツ信号対応送信信号が伝送する第２形式コンテンツ信号のサンプリング周波数を認識する、サンプリング周波数認識手段をさらに備える、
ことを特徴とする請求項６に記載のコンテンツデータ受信装置。
【請求項８】
第１の形式種別に含まれるデジタルコンテンツ信号である第１形式コンテンツ信号を伝送するための所定伝送規格において規定される単位送信データに対して、上記第１形式コンテンツ信号以外とされる所定の形式種別のデジタルコンテンツ信号である第２形式コンテンツ信号を格納するとともに、上記単位送信データに格納するデジタルコンテンツ信号形式が第１形式コンテンツ信号であることを元来示すべき信号種別識別情報について、上記第２形式コンテンツ信号であることを示すものとして定めた内容となるようにして、かつ、上記単位送信データにおける所定のビット位置範囲について、上記第１形式コンテンツ信号を所定の伝送方式により伝送するときに使用される同期信号に一致するビット値のパターンとなることがないようにして、上記単位伝送データを生成する伝送用データ生成手順と、
上記伝送用データ生成手順により生成された単位伝送データを有して成る第２形式コンテンツ信号対応送信信号を、上記所定伝送規格に対応する伝送路を経由して送信出力する部位を有して形成される送出部により送出させる送出手順と、
を実行することを特徴とするコンテンツデータ送信方法。
【請求項９】
受信部により、第１の形式種別に含まれるデジタルコンテンツ信号である第１形式コンテンツ信号を元来伝送するものとして規定された所定伝送規格に対応する伝送路を経由して伝送されてくる送信信号が受信されるようにする受信手順と、
上記受信部により受信された送信信号が、上記第１形式コンテンツ信号以外とされる所定の形式種別のデジタルコンテンツ信号である第２形式コンテンツ信号を格納する第２形式コンテンツ信号対応送信信号である場合に対応しては、この受信した上記第２形式コンテンツ信号対応送信信号から生成するもので、格納するデジタルコンテンツ信号形式の種別を示す信号種別指示情報の内容について、上記第２形式コンテンツ信号であることを示すものであることを識別できるようにされた信号種別識別手順と、
を実行することを特徴とするコンテンツデータ受信処理方法。
【発明の詳細な説明】
【技術分野】
【０００１】
本発明は、所定の伝送方式に従って、例えばオーディオ信号としてのデジタルコンテンツをデータとして伝送するコンテンツデータ送信装置と、このコンテンツデータ送信装置により伝送されてきたコンテンツデータを受信するコンテンツデータ受信装置と、これらの装置から成るコンテンツデータ送受信システムとに関する。また、上記コンテンツデータ送信装置に対応するコンテンツデータ送信方法と、上記コンテンツデータ受信装置に対応するコンテンツデータ受信処理方法とに関する。
【背景技術】
【０００２】
デジタルオーディオ信号を伝送する規格としてＩＥＣ６０９５８が広く知られている。現状において、このＩＥＣ６０９５８としては、民生用に関しては、リニアＰＣＭ形式のデジタルオーディオ信号を伝送することを規定したＩＥＣ６０９５８−３が知られている。また、ＩＥＣ６０９５８−３上で、圧縮符号化形式のデジタルオーディオ信号を伝送することを規定したＩＥＣ６１９３７も知られている。つまり、ＩＥＣ６０９５８（ＩＥＣ６１９３７）に準拠したデジタルオーディオ信号の伝送機能を実装する機器では、リニアＰＣＭのオーディオ信号と圧縮符号化形式のオーディオ信号の双方若しくは何れか一方を、送信若しくは受信することが可能とされている。
【０００３】
上記のＩＥＣ６０９５８（ＩＥＣ６１９３７）は、リニアＰＣＭ形式や圧縮符号化形式のオーディオ信号を扱う機器の普及に伴って、比較的早期に出現し、既に広く普及しているものであるが、現在においては、リニアＰＣＭ形式及び圧縮符号化形式等とは異なる、ＤＳＤといわれる、１ビット形式によるデジタルオーディオ信号(ＤＳＤ信号)を扱う機器も知られ、普及してきている状況にある。なお、ＤＳＤの信号を扱う機器としては、ＳＡＣＤを対象とした再生システムを挙げることができる。ＳＡＣＤには、サンプリング周波数が２．８２２４ＭＨｚによる１ビット形式のデジタルオーディオ信号が記録されている。
【０００４】
このようにして、現在においては、デジタルオーディオ信号形式として、リニアＰＣＭや圧縮符号化オーディオ信号の他に、ＤＳＤ信号も普及してきている傾向にある。このようなことを背景として、例えば特許文献１においては、ＩＥＥＥ１３９４のデータインターフェイスの下で、ＰＣＭデータと１ビットデジタルオーディオデータとを同期伝送させる技術が記載されている。ＩＥＥＥ１３９４は、周知のようにしてオーディオ等のコンテンツデータの伝送以外にも使用される汎用性を持つデータインターフェイスである。
【０００５】
【特許文献１】特開２００２−２３２４２６号公報
【発明の開示】
【発明が解決しようとする課題】
【０００６】
ＩＥＥＥ１３９４は、周知のようにしてオーディオ等のコンテンツ信号データの伝送以外にも使用される汎用的なデータインターフェイスであるが、ＩＥＣ６０９５８（ＩＥＣ６１９３７）は、デジタルオーディオ信号の伝送に特化された伝送規格であり、例えば、実装にあたっては、ＩＥＣ６０９５８のほうが構成は簡易で、コストも低く抑えることができる。
このような観点からすれば、ＩＥＣ６０９５８のような、レガシーなものとしてみることのできるデジタルオーディオ信号の伝送規格の上で、ＤＳＤ信号のような、後において普及が始まった新たなデジタルオーディオ信号を伝送できるようにすることは、ＤＳＤ信号を扱う機器の低コスト化が図られることにつながり、例えばより広い普及にもつながるなどの点で、好ましいといえる。ただし、このようにして、レガシーな伝送規格により、新たなコンテンツ信号を伝送しようとするときには、その伝送規格を実装してはいるが、新たなコンテンツ信号には対応していない機器に関して、新たなコンテンツ信号を受信させたときに、これを自身が対応可能な信号であると誤認識して不具合を生じることがないように配慮すべきことが必要になる。
【課題を解決するための手段】
【０００７】
そこで本発明は上記した課題を考慮して、コンテンツデータ送受信システムとして次のように構成することとした。
つまり、本願発明のコンテンツデータ送受信システムは、送信装置と受信装置とを備える。
そのうえで、送信装置は、第１の形式種別に含まれるデジタルコンテンツ信号である第１形式コンテンツ信号を伝送するための所定伝送規格において規定される単位送信データに対して、第１形式コンテンツ信号以外とされる所定の形式種別のデジタルコンテンツ信号である第２形式コンテンツ信号を格納するとともに、単位送信データに格納するデジタルコンテンツ信号形式が第１形式コンテンツ信号であることを元来示すべき信号種別識別情報について、上記第２形式コンテンツ信号であることを示すものとして定めた内容となるようにして、かつ、単位送信データにおける所定のビット位置範囲について、第１形式コンテンツ信号を所定の伝送方式により伝送するときに使用される同期信号に一致するビット値のパターンとなることがないようにして、単位伝送データを生成する伝送用データ生成手段と、この伝送用データ生成手段により生成された単位伝送データを有して成る第２形式コンテンツ信号対応送信信号を、所定伝送規格に対応する伝送路を経由して送信出力する部位を有して形成される送出手段とを備える。
受信装置は、所定伝送規格に対応する伝送路を経由して伝送されてくる送信信号を受信する部位を有して形成される受信手段と、この受信手段により受信された送信信号が第２形式コンテンツ信号対応送信信号である場合においては、受信した第２形式コンテンツ信号対応送信信号から生成した信号種別指示情報の内容について、第２形式コンテンツ信号が格納されていることを示すものであることを識別できるようにされた信号種別識別手段とを備えるものである。
【０００８】
また、コンテンツデータ送信装置としては、次のように構成する。
つまり、第１の形式種別に含まれるデジタルコンテンツ信号である第１形式コンテンツ信号を伝送するための所定伝送規格において規定される単位送信データに対して、第１形式コンテンツ信号以外とされる所定の形式種別のデジタルコンテンツ信号である第２形式コンテンツ信号を格納するとともに、単位送信データに格納するデジタルコンテンツ信号形式が第１形式コンテンツ信号であることを元来示すべき信号種別識別情報について、上記第２形式コンテンツ信号であることを示すものとして定めた内容となるようにして、かつ、単位送信データにおける所定のビット位置範囲について、第１形式コンテンツ信号を所定の伝送方式により伝送するときに使用される同期信号に一致するビット値のパターンとなることがないようにして、単位伝送データを生成する伝送用データ生成手段と、この伝送用データ生成手段により生成された単位伝送データを有して成る第２形式コンテンツ信号対応送信信号を、所定伝送規格に対応する伝送路を経由して送信出力する部位を有して形成される送出手段とを備えることとした。
【０００９】
また、コンテンツデータ受信装置としては、次のように構成することとした。
つまり、第１の形式種別に含まれるデジタルコンテンツ信号である第１形式コンテンツ信号を元来伝送するものとして規定された所定伝送規格に対応する伝送路を経由して伝送されてくる送信信号を受信する部位を有して形成される受信手段と、この受信手段により受信された送信信号が、第１形式コンテンツ信号以外とされる所定の形式種別のデジタルコンテンツ信号である第２形式コンテンツ信号を伝送するための第２形式コンテンツ信号対応送信信号である場合に対応しては、この受信した第２形式コンテンツ信号対応送信信号から生成するもので、格納するデジタルコンテンツ信号形式の種別を示す信号種別指示情報の内容について、第２形式コンテンツ信号であることを示すものであることを識別できるようにされた信号種別識別手段とを備えることとした。
【００１０】
上記各構成においては、先ず、コンテンツデータ送信装置(送信装置)は、元来は第１形式コンテンツ信号を伝送するための所定伝送規格により、この第１形式コンテンツ信号以外の形式のコンテンツ信号である第２形式コンテンツ信号を伝送するようにされる。このとき、コンテンツデータ送信装置は、所定伝送規格により定められる単位送信データに対して第２形式コンテンツ信号を格納し、これとともに、信号種別識別情報によっては、第２形式コンテンツ信号であることを示すようにして、単位送信データを生成する。そして、所定伝送規格による第２形式コンテンツ信号の伝送に対応するコンテンツデータ受信装置では、上記の信号種別識別情報の内容が、第２形式コンテンツ信号を示していることを認識できるように構成されており、これにより、送信されてくる第２形式コンテンツ信号を正常に処理することが可能になる。一方、所定伝送規格による第１形式コンテンツ信号の伝送には対応するが、第２形式オーディオ信号には対応しないコンテンツデータ受信装置（未対応コンテンツデータ受信装置）では、第２形式オーディオ信号が送信されてきたとしても、信号種別識別情報により第１形式オーディオ信号であることが示されていないのであるから、自身が対応不可な他の形式の信号であると判断することができる。
さらに、本願発明では、第２形式コンテンツ信号を伝送するときの単位送信データについて、単位送信データにおける所定のビット位置範囲について、第１形式コンテンツ信号を所定の伝送方式により伝送するときに使用される同期信号に一致するビット値のパターンとなることがないようにして生成する。これにより、上記の未対応コンテンツデータ受信装置が、何らかの原因により、送信されてくる第２形式コンテンツ信号を、信号種別識別情報に基づいて自身が対応不可な他の形式の信号であると認識できなかった場合にも、未対応コンテンツデータ受信装置が、第２形式コンテンツ信号を受信開始することはなくなる。換言すれば、信号種別識別情報による信号種別の拡張規定と、同期信号に一致するビット値のパターンを作らないようにすることとの段階的な処置により、例えば第２形式オーディオ信号を送信したとしても、未対応コンテンツデータ受信装置が第１形式オーディオ信号であると誤って第２形式オーディオ信号を受信して以降の処理を行ってしまうような不具合は、ほぼ完全に回避されるものである。
【発明の効果】
【００１１】
上記した内容から理解されるようにして、本願発明によっては、先ず、元来的には第１形式コンテンツ信号を伝送するために規定された所定伝送規格により、対応する送信装置と受信装置との間での第２形式オコンテンツ信号の伝送を正常に行うことができる。そのうえで、所定伝送規格には対応するが第２形式コンテンツ信号には対応しない未対応コンテンツデータ受信装置に関しては、第２形式オーディオ信号の伝送が行われたことによる悪影響の及ぶことがないように配慮し、この点での万全が図られているものである。
【発明を実施するための最良の形態】
【００１２】
本願発明を実施するための最良の形態（以下、実施の形態という）としては、本願発明のオーディオデータ伝送装置を、ＳＡＣＤ(Super Audio CD)に対応して信号再生が可能な装置（ＳＡＣＤ対応再生装置）に適用し、本願発明のオーディオデータ受信装置を、ＤＳＤ(Direct Stream Digital)信号の音響再生に対応するアンプ(Amplifier)装置（ＤＳＤ対応アンプ装置）に適用した場合を例に挙げることとする。
【００１３】
図１は、本実施の形態としてのＳＡＣＤ対応再生装置１とＤＳＤ対応アンプ装置２とを備えて成るオーディオ再生システムの構築例を示している。
先ず、図１においては、ＳＡＣＤ対応再生装置１とＤＳＤ対応アンプ装置２とをＩＥＣ６０９５８により接続するとともに、ＳＡＣＤ対応再生装置１とＤＳＤ未対応アンプ装置３とを、同じく、ＩＥＣ６０９５８により接続した構成が示されている。なお、ＩＥＣ(International Electro technical Commission)６０９５８は、周知のようにしてデジタルオーディオデータを送受信するためのデータインターフェイスであり、実際においては、例えば、ＳＡＣＤ対応再生装置１とＤＳＤ対応アンプ装置２、及びＳＡＣＤ対応再生装置１とＤＳＤ未対応アンプ装置３との間は、ＩＥＣ６０９５８における物理層規格に従ったケーブルなどにより接続されているものである。
【００１４】
ＳＡＣＤ対応再生装置１は、例えばディスク状記録媒体として少なくともＳＡＣＤに対応して記録信号の再生を行うことが可能に構成された装置とされる。ＳＡＣＤは、周知のようにして、通常のＣＤなどに記録されるＰＣＭオーディオ信号のサンプリング周波数ｆｓ＝４４．１ｋＨｚに対して、６４倍（６４ｆｓ＝２．８２２４ＭＨｚ）のサンプリング周波数を有する、量子化ビット数が１ビットのデジタルオーディオ信号が記録される。このような１ビットオーディオ信号は、例えばＰＣＭ形式のオーディオ信号についてΔΣ変調を施すことにより得ることができるものであり、例えばアナログローパスフィルタを通過させることでアナログオーディオ信号への変換が可能とされるリニアな信号である。そして、この場合のＳＡＣＤ対応再生装置１は、少なくとも、装填されたＳＡＣＤに対する信号再生を行い、上記した［６４ｆｓ、１ビット］のデジタルオーディオ信号を外部に対して出力可能とされている。なお、このような［６４ｆｓ、１ビット］の形式のデジタルオーディオ信号はＤＳＤ信号といわれるが、ここでは、このＳＡＣＤにて採用される［６４ｆｓ、１ビット］の形式を含め、１ビット形式のデジタルオーディオ信号全般をＤＳＤ信号であることとして扱うものとする。
【００１５】
ＤＳＤ対応アンプ装置２は、実際においては、オーディオソースとして、所定の伝送方式に対応してアナログ、デジタルのオーディオ信号を入力可能とされており、これらの入力可能なオーディオ信号のうちから選択されたものを増幅して、例えば当該ＤＳＤ対応アンプ装置２に接続されているスピーカＳＰ１-1〜スピーカＳＰ１-nのうちの少なくとも何れか１つから、音声として放出させることができるように構成される。この場合のＤＳＤ対応アンプ装置２は所定のマルチチャンネル方式に対応しているものとされ、ＤＳＤ対応アンプ装置２に接続される上記のスピーカＳＰ１-1〜スピーカＳＰ１-nは、例えば対応するマルチチャンネル方式のチャンネル数ｎに対応して設けられているものとされる。
そのうえで、ＤＳＤ対応アンプ装置２は、上記のようにして入力可能とされているオーディオ信号の１つとして、ＤＳＤ信号を入力可能とされており、入力したＤＳＤ信号をスピーカから音声として再生出力させるための構成も備えているものである。
【００１６】
ＤＳＤ未対応アンプ装置３も、オーディオソースとして、所定の伝送方式に対応してアナログ、デジタルのオーディオ信号を入力可能とされ、これらの入力可能なオーディオ信号のうちから選択されたものを増幅して、例えば当該ＤＳＤ対応アンプ装置２に接続されている、所定のマルチチャンネル方式のチャンネル数Ｎに対応して設けられたスピーカＳＰ２-1〜ＳＰ２-Nから音声として放出させることができるように構成されている。
ただし、ＤＳＤ未対応アンプ装置３は、入力可能とされているオーディオ信号の種類の中に、ＤＳＤ信号は含まないものとされる。従って、ＤＳＤ信号について適正に処理を行ってスピーカから再生出力させることが可能な構成については与えられていない。
【００１７】
図１において、上記ＳＡＣＤ対応再生装置１とＤＳＤ対応アンプ装置２とを接続し、ＳＡＣＤ対応再生装置１とＤＳＤ未対応アンプ装置３とを接続しているＩＥＣ６０９５８は、周知のようにして、基本的には、リニアＰＣＭ形式のデジタルオーディオ信号を伝送するためのデータインターフェイスとされている。また、現状においては、ＩＥＣ６１９３７を適用することで、音声圧縮符号化されたビットストリームをＩＥＣ６０９５８−３（民生用）上で伝送することも可能とされている。
【００１８】
そのうえで、本実施の形態としては、後述するようにして、このＩＥＣ６０９５８（ＩＥＣ６１９３７）上で、ＤＳＤ信号を送受信することが可能なようにして、拡張したフォーマットを新たに規定するものである。この新たに規定するフォーマットについては、「ＤＳＤ対応オーディオインターフェイスフォーマット」ともいうことにする。また、「ＤＳＤ対応オーディオインターフェイスフォーマット」については、以降、「ＤＳＤ対応フォーマット」と略して表記する場合がある。
【００１９】
そして、上記のようにしてＤＳＤ対応オーディオインターフェイスフォーマット（ＤＳＤ対応フォーマット）を規定したうえで、ＳＡＣＤ対応再生装置１については、この規定に対応してＩＥＣ６０９５８伝送路によりＤＳＤ信号（ＳＡＣＤからの再生信号）の伝送（送出）を行うことが可能なように構成し、同様にして、ＤＳＤ対応アンプ装置２については、ＩＥＣ６０９５８伝送路を経由して送信されてくるＤＳＤ信号を適正に受信して、ＤＳＤ信号の再生部に入力させるように構成する。これにより、本実施の形態では、ＳＡＣＤ対応再生装置１とＤＳＤ対応アンプ装置２をＩＥＣ６０９５８により接続することにより、ＳＡＣＤに記録されたＤＳＤ信号を音響再生するシステムが得られることになる。
【００２０】
例えば、ＤＳＤ信号に相当する１ビット形式のデジタルオーディオ信号の伝送については、既に、ＩＥＣ６１８３３−６（ＩＥＥＥ(the Institute of Electrical and Electronic Engineers)１３９４）やＨＤＭＩ(High Definition Multimedia Interface)などで「One Bit Audio」として規格化されている。即ち、デジタルコンテンツインターフェイスの範疇においては、既に、１ビット形式のデジタルオーディオ信号はサポートされてはいる。
ただし、上記ＩＥＣ６１８３３−６及びＨＤＭＩなどは、オーディオ信号以外にビデオ信号の伝送も可能とされており、さらには比較的高度な制御情報の伝送も可能とされている。このような仕様の実現のために、ＩＥＣ６１８３３−６、ＨＤＭＩの実装に要するコストは、ＩＥＣ６０９５８を実装する場合と比較して相当に高くなる。
ＤＳＤ信号はオーディオ信号であるので、例えば、ＤＳＤ信号を音響再生したオーディオリスニングのみを純粋に楽しみたいというユーザの要望は少なからずある。この点からすると、ビデオ信号や制御情報の伝送も可能なＩＥＣ６１８３３−６及びＨＤＭＩなどのデジタルコンテンツインターフェイスはオーバースペックであり、例えばオーディオ信号伝送専用のインターフェイスを利用して、より低コストで簡易な物理構成、論理構成によりＤＳＤ信号の伝送が行えるようにすることが求められているということがいえる。
本実施の形態は、このような要求に応えるために、先に述べたようにして、ＤＳＤ対応フォーマットを規定し、この規定に準拠するようにしてＳＡＣＤ対応再生装置１とＤＳＤ対応アンプ装置２を構成しているものである。即ち、ＳＡＣＤ対応再生装置１及びＤＳＤ対応アンプ装置２は、例えばＩＥＣ６１８３３−６やＨＤＭＩなどのデジタルコンテンツインターフェイスを敢えて実装しなくとも、ＩＥＣ６０９５８に対応するデジタルオーディオインターフェイスの構成を実装することにより、ＤＳＤ信号の伝送(送受信)が可能とされているものである。換言すれば、ＤＳＤ信号の伝送を、ＩＥＣ６１８３３−６やＨＤＭＩを実装する場合よりも低コストで、簡易なハードウェア構成により実現しているものである。
【００２１】
ただし、本実施の形態のＤＳＤ対応フォーマットは、あくまでもＩＥＣ６０９５８をベースとしたものである。従って、例えば図１に示されるＤＳＤ未対応アンプ装置３のようにして、通常のＩＥＣ６０９５８に対応してはいるが、ＤＳＤ対応フォーマットには対応していない機器に対して、ＩＥＣ６０９５８伝送路経由でＤＳＤ信号を送信したときには、この非対応の機器が、ＤＳＤ信号を、自身が対応する通常のリニアＰＣＭ信号、若しくは圧縮符号化オーディオ信号であると誤認識して再生処理などを実行することがないようにすることが必要になってくる。仮に、上記非対応の機器が、ＤＳＤ信号について再生信号処理を実行してしまったとすると、その再生音声は、例えばノイズとなってしまい、ユーザに不快感を与えるだけではなく、装置、スピーカなどに何らかの悪影響を与えることにつながって好ましくない。
本実施の形態のＤＳＤ対応フォーマットは、後の説明から理解されるように、上記のような非対応機器による誤認識がほぼ完全に生じることがないようにして配慮されているものである。
【００２２】
図２は、本実施の形態のＳＡＣＤ対応再生装置１の内部構成例を示している。なお、この図においては、ＳＡＣＤ対応再生装置１において、ＳＡＣＤを再生し、これにより得られるＤＳＤ信号をＩＥＣ６０９５８伝送路経由で送出するための構成部分のみを抜き出しているものとされる。つまり、ＳＡＣＤ対応再生装置１としては、ＣＤ、ＤＶＤなどの他の種類のディスク状記録媒体を再生して、その再生信号を所定方式により外部に出力するように構成されてもよく、また、ディスク状記録媒体から再生したオーディオ信号を、ＩＥＣ６０９５８伝送路以外の方式の伝送路により外部に出力可能に構成されてもよいのであるが、ここでは、このような構成については図示を省略しているものである。
【００２３】
ＳＡＣＤ対応再生装置１に装填されたＳＡＣＤは、ＳＡＣＤ再生部１１により再生駆動されることで、そこに記録されているＤＳＤ信号の読み出し（再生）が行われる。ＳＡＣＤ再生部１１は、装填されたＳＡＣＤを所定の回転駆動方式に従って回転駆動するための部位と、ＳＡＣＤに対してレーザ光を照射することにより記録信号の読み出しを行う光学ピックアップと、読み出された記録信号から最終的にＤＳＤ信号を得るまでの所要の信号処理を実行する再生信号処理部としての回路部位などから成るものとされる。
ＳＡＣＤ再生部１１にて得られるＤＳＤ信号は、ＩＥＣ６０９５８送信部１２に入力されるようになっている。ＩＥＣ６０９５８送信部１２は、例えば図示するようにして、送信データ生成部１２ａ、及び送出部１２ｂから成るものとしている。
送信データ生成部１２ａは、送信用信号として入力されてきたデジタルオーディオ信号を、ＩＥＣ６０９５８による伝送規格に従ったフレーム構造であるとかバーストデータ(Data-burst)構造に格納するようにして、送信データを生成するようにされる。この図の場合のようにして、上記送信用信号としてＤＳＤ信号が入力されてくる場合、送信データ生成部１２ａは、ＤＳＤ対応フォーマットに従った送信データを生成するようにされる。このようにして生成された送信データは、送出部１２ｂに出力される。
【００２４】
送出部１２ｂは、入力されてくる送信データを、例えばＩＥＣ６０９５８の規格に従って、例えば光（あるいは電気信号）による伝送信号に変換し、ＩＥＣ６０９５８に対応するデータ出力端子１３に対して出力するようにされる。実際には、データ出力端子１３は、例えばＩＥＣ６０９５８の物理層規格に対応する構造の雌プラグを有して成り、ＩＥＣ６０９５８の規格に対応するケーブルの一方の雄プラグが接続される。そして、このケーブルの他方のプラグが他の機器に対して接続されることで、ＳＡＣＤ対応再生装置１から他の機器に対して、ＤＳＤ信号が伝送されることになる。
【００２５】
図３は、ＤＳＤ対応アンプ装置２の内部構成例を示している。なお、この図においては、ＤＳＤ対応アンプ装置２の全体構成から、ＩＥＣ６０９５８の伝送路経由で受信(入力)したオーディオ信号を最終的にスピーカから音として再生出力するまでの系の構成のみを抜き出して示すこととし、例えば、他の形式の伝送路を経由してオーディオ信号を入力する構成などについての図示は省略している。
【００２６】
先にも説明したように、通常のＩＥＣ６０９５８によっては、先ず、デジタルオーディオ信号形式として、リニアＰＣＭを伝送可能とされており、ＩＥＣ６０９５８−３上でＩＥＣ６１９３７を適用することで、圧縮符号化されたオーディオ信号を伝送可能とされている。そこで、この場合のＤＳＤ対応アンプ装置２としても、先ず、ＩＥＣ６０９５８伝送路経由で、リニアＰＣＭオーディオ信号と圧縮符号化オーディオ信号とを、適正に受信して、再生出力することが可能に構成するものとする。これとともに、ＤＳＤ対応フォーマットにも対応することにより、ＤＳＤ信号についても適正に受信して再生出力することが可能なように構成するようにされる。図３には、このような構成としての一例が示されている。
【００２７】
データ入力端子２１も、例えばＩＥＣ６０９５８の物理層規格に対応する構造の雌プラグを有して成り、ＩＥＣ６０９５８の規格に対応するケーブルの一方の雄プラグが接続される。このケーブルの他方のプラグが他の機器に対して接続されていれば、当該他の機器から送信されてくるリニアＰＣＭオーディオ信号、圧縮符号化オーディオ信号、あるいはＤＳＤ信号のいずれかのデジタルオーディオ信号を格納した伝送信号が、データ入力端子２２を経由してＩＥＣ６０９５８受信部２２にて入力(受信)されることになる。
【００２８】
ＩＥＣ６０９５８受信部２２は、上記のようにして受信した伝送信号についての復調処理を実行して、デジタルオーディオ信号を抽出する。ここで、ＩＥＣ６０９５８受信部２２は、通常のＩＥＣ６０９５８規格に対応して、受信した伝送信号がリニアＰＣＭオーディオ信号若しくは圧縮符号化オーディオ信号を格納するものである場合には、各信号の種別を認識した上で、適正に抽出を行うことが可能とされている。さらに、受信した伝送信号がＤＳＤ信号を格納するものである場合にも、ＤＳＤ対応フォーマットに対応して、ＤＳＤ信号であることを認識したうえで、適正に抽出することが可能とされているものである。このようにして、ＩＥＣ６０９５８受信部２２が抽出したデジタルオーディオ信号は、セレクタ２３に対して入力させる。
【００２９】
セレクタ２３は、上記のようにして入力されてくるデジタルオーディオ信号を、リニアＰＣＭ対応信号処理部２４、圧縮音声対応信号処理部２５、及びＤＳＤ対応信号処理部２６の何れか１つに対して入力させるようにして信号経路の切り換えを行う。つまり、セレクタ２３は、ＩＥＣ６０９５８受信部２２からの入力信号が、リニアＰＣＭオーディオ信号である場合、この入力信号をリニアＰＣＭ対応信号処理部２４に対して出力するように信号切り換えを行う。また、圧縮符号化オーディオ信号である場合には、圧縮音声対応信号処理部２５に対して出力する。また、ＤＳＤ信号である場合には、圧縮音声対応信号処理部２５に対して出力する。
【００３０】
リニアＰＣＭ対応信号処理部２４は、入力されてくるリニアＰＣＭオーディオ信号について、所定の再生信号処理を実行するようにされる。この再生信号処理としては、例えば、入力されるリニアＰＣＭオーディオ信号が、２チャンネル（ｃｈ）、若しくは３チャンネル以上のマルチチャンネル構成である場合には、実際のオーディオチャンネル構成に対応したチャンネルごとのオーディオ信号に分離（チャンネル分離）を行うようにされる。このようにして分離された各チャンネルのオーディオ信号は、再生時間軸が同期したものとなっている。また、必要に応じて音質調整、音響付加などのための信号処理も施すようにされる。
また、この場合には、後段のＤ／Ａ・増幅回路２８は、例えばＤＳＤ信号に対応する［６４ｆｓ、１ビット］によるデジタルオーディオ信号を入力して、この入力信号についてのアナログ信号への変換と、スピーカ出力のための増幅とを行うことができるように構成しているものとする。これに対応して、リニアＰＣＭ対応信号処理部２４では、各チャンネルのオーディオ信号について、インターポレーションフィルタによるオーバーサンプリング処理、及びΔΣ変調処理などを行うことにより、［６４ｆｓ、１ビット］の信号に変換して出力するように構成しているものとする。
【００３１】
圧縮音声対応信号処理部２５は、入力されてくる圧縮符号化オーディオ信号について、例えば圧縮符号化に対する復調処理を実行することで、チャンネル分離されたＰＣＭ形式のオーディオ信号を先ず得るようにされる。そのうえで、必要に応じて音質調整、音響付加などのための信号処理を施した上で、この場合にも、オーバーサンプリング処理、及びΔΣ変調処理を行って、［６４ｆｓ、１ビット］の信号形式により出力するようにされる。
【００３２】
ＤＳＤ対応信号処理部２６は、入力されてくるＤＳＤ信号について、例えば実際のチャンネル構成に応じたチャンネル分離、必要に応じた音質調整、音響付加などの処理を行い、各チャンネルの信号を、ＤＳＤ信号形式である［６４ｆｓ、１ビット］の形式により出力するようにされる。
このようにして、本実施の形態では、Ｄ／Ａ・増幅回路２８に対して、リニアＰＣＭ、圧縮符号化オーディオ信号、及びＤＳＤ信号を、それぞれ、［６４ｆｓ、１ビット］の形式によるＤＳＤ信号形式により出力させることとしている。このようにして、各信号処理部から出力させる信号形式を統一することで、Ｄ／Ａ・増幅回路２８を１つに共通化することができる。もちろん、リニアＰＣＭ、及び圧縮符号化オーディオ信号については、通常に、マルチビットによる量子化に対応したＤ／Ａ変換を行ってえたアナログオーディオ信号を増幅するという構成を与えることも可能である。
【００３３】
リニアＰＣＭ対応信号処理部２４、圧縮音声対応信号処理部２５、及びＤＳＤ対応信号処理部２６から出力されるデジタルオーディオ信号は、セレクタ２７に対して入力される。セレクタ２７では、例えばここでは図示していないが、ユーザのソース選択操作などに応じた外部からの制御に従い、リニアＰＣＭ対応信号処理部２４、圧縮音声対応信号処理部２５、及びＤＳＤ対応信号処理部２６の出力のうちの何れか１つを、Ｄ／Ａ・増幅回路２８の入力に対して供給するようにして信号経路の切り換えを行うようにされる。
【００３４】
Ｄ／Ａ・増幅回路２８は、ＰＷＭ変調回路と、このＰＷＭ変調回路の出力信号を増幅してスイッチングするスイッチング回路と、このスイッチング回路の出力が通過するアナログローパスフィルタなどを備える回路系を、例えば対応するマルチチャンネル数分備えて形成される。各チャンネルごとの上記回路系の出力が、チャンネルごとのスピーカＳＰ２-1〜-nを駆動するスピーカ駆動信号となる。
各チャンネルに対応するスピーカ駆動信号は、それぞれ、スピーカＳＰ２-1〜ＳＰ２-nに対応して設けられるスピーカ端子２９-1〜２９-nに供給される。これにより、スピーカ端子２９２９-1〜２９-nに接続されているスピーカＳＰ２-1〜ＳＰ２-nからは、対応するチャンネルの音声が放出するようにして再生出力される。
【００３５】
また、図４に、ＤＳＤ未対応アンプ装置３の構成例を示しておく。なお、この図においても、ＤＳＤ未対応アンプ装置３における、ＩＥＣ６０９５８の伝送路経由で受信(入力)したオーディオ信号を最終的にスピーカから音として再生出力するまでの系の構成のみを抜き出して示しているものであり、他の形式の伝送路を経由してオーディオ信号を入力する構成などについての図示は省略している。
【００３６】
図４に示されるＤＳＤ未対応アンプ装置３は、データ入力端子３１、ＩＥＣ６０９５８受信部３２、セレクタ３３、リニアＰＣＭ対応信号処理部３４、圧縮音声対応信号処理部３５、セレクタ３７、Ｄ／Ａ・増幅回路２８、及びスピーカ端子３９-1〜-N（スピーカＳＰ３-1〜ＳＰ３-Nごとに対応して設けられる）を図のようにして接続して設けることにより構成される。この構成を、図３に示したＤＳＤ対応アンプ装置２の構成と比較すると、ＤＳＤ未対応アンプ装置３においては、ＤＳＤ対応信号処理部２６が省略されている点が相違する。即ち、ＤＳＤ未対応アンプ装置３としては、ＤＳＤ信号に対応した再生出力機能は有さないものであり、従って、この機能を実現するＤＳＤ対応信号処理部２６は備えないようにして構成されているものである。
また、これに伴って、ＤＳＤ未対応アンプ装置３におけるＩＥＣ６０９５８受信部３２としては、ＤＳＤ対応フォーマットには対応しない構成となっている。つまり、通常のＩＥＣ６０９５８（ＩＥＣ６０９５８−３）及びＩＥＣ６１９３７によるリニアＰＣＭオーディオ信号及び圧縮符号化オーディオ信号のみに対応して適正な受信処理を実行可能とされているものである。
【００３７】
続いては、本実施の形態のＤＳＤ対応フォーマットについて説明を行うこととする。これまでの説明からも理解されるように、このＤＳＤ対応フォーマットは、ＩＥＣ６０９５８（ＩＥＣ６０９５８−３）、及びＩＥＣ６１９３７上でＤＳＤ信号の伝送を可能とするための、拡張規格としての位置付けを持つものである。
【００３８】
ＩＥＣ６０９５８の規格においては、先ず、ＩＥＣ６０９５８−１により一般規定（General）が定められており、その下で、ＩＥＣ６０９５８−３、ＩＥＣ６０９５８−４により、リニアＰＣＭオーディオ信号を伝送する規格が定められている。ＩＥＣ６０９５８−３は民生用機器に対応した規格であり、ＩＥＣ６０９５８−４はプロフェッショナル(業務)用機器に対応した規格である。また、ＩＥＣ６０９５８−３を基としてＩＥＣ６１９３７が規格化されている。このＩＥＣ６１９３７において、例えばAC-3(Audio Code number 3)、MPEG(Motion Picture Experts Group) Audio、AAC(Advanced Audio Coding)、ATRAC(Adaptive TRansform Acoustic Coding)などをはじめとする各種の圧縮符号化オーディオ信号を伝送するための規格が定められている。
【００３９】
図５（ａ）は、ＩＥＣ６０９５８−３（ＩＥＣ６０９５８−１）において定められているサブフレーム(単位送信データ)構造を示している。ＩＥＣ６０９５８−３では、連続する２つのサブフレームにより１フレームを形成し、連続する１９２フレームにより１ブロックを形成するものとして規定されている。
図５（ａ）に示されるサブフレームは、タイムスロット(time slot)０〜３１として示されるように、３２ビットから成るものとされる。タイムスロット０〜３から成る４ビットは、シンク・プリアンブル(Sync Preamble)、タイムスロット４〜７から成る４ビットは補助領域(Auxiliary)、タイムスロット８〜２７から成る２０ビットは伝送すべきオーディオ信号データ(Audio Sample Word)を格納するオーディオ信号データ領域である。ＩＥＣ６０９５８−３の場合には、このオーディオ信号データ領域には、リニアＰＣＭオーディオ信号のデータを格納する。また、これに続くタイムスロット２８の１ビットは有効性フラグ(Validity bit)、タイムスロット２９の１ビットはユーザデータビット(User data bit)、タイムスロット３０の１ビットはチャンネルステイタスビット(Channel status bit)、タイムスロット３１の１ビットはパリティビット(Parity bit)である。
【００４０】
図５（ｂ）は、ＩＥＣ６１９３７において定められているサブフレーム(単位送信データ)構造を示している。ＩＥＣ６１９３７は、ＩＥＣ６０９５８−１、ＩＥＣ６０９５８−３を基としていることで、そのサブフレーム構造の基本は、図５（ａ）のサブフレーム構造と共通している。ただし、ＩＥＣ６１９３７のサブフレーム構造においては、オーディオ信号データ(Audio bitstream)を格納する領域について、タイムスロット８〜２７から成る２０ビットのオーディオ信号データ領域を全て使用するのではなく、図示するようにして、タイムスロット１２〜２７による１６ビットを、オーディオ信号データ領域として使用するように規定される。このオーディオ信号データ領域についての規定は、ＩＥＣ６１９３７では、ノンリニアＰＣＭデジタルオーディオ信号としての圧縮符号化オーディオ信号を、いわゆるバースト伝送により伝送することに対応、適合させたものである。
【００４１】
そして、本実施の形態に対応する、ＤＳＤ対応オーディオインターフェイスフォーマット（ＤＳＤ対応フォーマットにおいては、上記図５（ｂ）に示すＩＥＣ６１９３７のサブフレーム構造を基にして、図５（ｃ）に示すようにしてサブフレーム(単位送信データ)構造を定めることとした(第１例)。
図５（ｃ）に示されるフレーム構造についての図５（ｂ）との相違点は次のようになる。
先ず、ＤＳＤ信号としてのデジタルオーディオ信号のビットストリーム(DSD bitstream)を格納する領域（DSD bitstream格納領域）としては、シンク・プリアンブルに続く、タイムスロット４〜１９までの１６ビットを使用する。また、このDSD bitstream格納領域に続く、タイムスロット２０〜２６までの７ビットの領域については、チャンネルＩＤ(Channel ID)を示す領域として使用することとしている。
例えばＳＡＣＤに記録されるコンテンツもそうであるように、ＤＳＤ信号を音源とするコンテンツは、Ｌ(左)，Ｒ(右)ステレオによる２チャンネルの他に、所定のオーディオチャンネル構成による３チャンネル以上のマルチチャンネルのものも存在する。上記チャンネルＩＤの領域には、現サブフレームのDSD bitstream格納領域に格納されるＤＳＤ信号が、コンテンツにおいてどのオーディオチャンネルに属するものであるのかを特定して示す情報を格納する。このチャンネルＩＤの定義内容については後述する。
【００４２】
また、チャンネルＩＤの領域に続くタイムスロット２７による１ビットには、保護ビットとして“0”を格納するようにされる。この保護ビットは、後述するようにして、ＤＳＤ信号入力に未対応とされる通常のＩＥＣ６０９５８のレシーバ（Receiver：受信装置側)が、ＤＳＤ信号を、リニアＰＣＭオーディオ信号、若しくは圧縮符号化オーディオ信号（ノンリニアＰＣＭオーディオ信号）であると誤認識して受信処理を実行してしまうことがないようにコントロールするためのものとされる。なお、この保護ビットにより上記の誤認識が防止されることの理由については後述する。
【００４３】
また、ＤＳＤ対応フォーマットのサブフレームにおいて、タイムスロット２８〜３１までの４ビットが、それぞれ有効性フラグ(Validity bit)、ユーザデータビット(User data bit)、チャンネルステイタスビット(Channel status bit)、及びパリティビット(Parity bit)とされている点は、図５（ｂ）のＩＥＣ６１９３７サブフレーム構造（及び図５（ａ）のＩＥＣ６０９５８サブフレーム構造）と同様である。
【００４４】
図６は、チャンネルステイタス情報(チャンネルステイタスブロック:Channel status block)のフォーマットを示している。この図に示すチャンネルステイタス情報は、ＩＥＣ６０９５８において、チャンネルステイタスモード(Channel status mode)がMode0の場合に対応するフォーマットであるとして規定されている。このMode0のチャンネルステイタスモードに対応したチャンネルステイタス情報のフォーマットは、ＩＥＣ６０９５８では、先ず、民生用のＩＥＣ６０９５８−３に対応するものとして規定されており、このＩＥＣ６０９５８−３を基とするＩＥＣ６１９３７としても、この図６に示すフォーマットを採用する。そして、本実施の形態のＤＳＤ対応フォーマットも、この図６に示すフォーマットを採用することとしている。
以降、この図６、及び図７以降の図面を適宜参照し、ＩＥＣ６０９５８−３、ＩＥＣ６１９３７のチャンネルステイタス情報の内容との比較を行いつつ、本実施の形態のＤＳＤ対応フォーマットとしてのチャンネルステイタス情報の内容についての説明を行っていくこととする。
【００４５】
このチャンネルステイタス情報は、図示するようにして、バイト(Byte)０〜２３の２４のバイト単位のシーケンスから成る１９２ビットで１単位の情報とされる。このようにして１９２ビットから成るチャンネルステイタス情報は、所定のシンク・プリアンブル（Sync preamble“B”）を格納するサブフレームを開始位置とする１９２のフレーム(１ブロック)に含まれるサブフレーム群のうちの特定位置のサブフレームから取り出した１９２個のチャンネルステイタスビットを、所定規則に従って配列することで形成されるものである。
【００４６】
チャンネルステイタス情報を形成する１９２ビットは、先頭から終端にかけて、Bit0、Bit1・・・Bit191のようにして呼称される。
先ず、Bit0としての１ビットは、チャネルステイタス情報の用途（Use of channel status block）を示す。このBit0は、ＩＥＣ６０９５８により、図７に示すようにしてその定義内容が定められている。
Bit0の値(Value)が“0”（Bit0=“0”）の場合には、現チャンネルステイタス情報は、民生用に使用されるべきものであること示すことになる（Consumer use of channel status block）。“1”の場合には、現チャンネルステイタス情報は、業務用に使用されるべきものであること示すことになる（Professional use of channel status block）。図６のチャンネルステイタス情報が、ＩＥＣ６０９５８−３とされる場合、この規格は民生用であるから、Bit0=“0”を格納することになる。また、ＩＥＣ６１９３７、ＤＳＤ対応フォーマットの何れとの場合にも、民生用のＩＥＣ６０９５８−３を基とするので、Bit0=“0”を格納することになる。
【００４７】
Bit1としての１ビットは、現チャンネルステイタス情報に対応して伝送されるべきデジタルオーディオ信号(伝送オーディオ信号)の形式が、リニアＰＣＭであるのか、若しくはリニアＰＣＭ以外のものであるのかを示す(Linear PCM identification)。図８に示すようにして、Bit1=“0”の場合にはリニアＰＣＭであることを示し（Audio sample word represents linear PCM samples）、Bit1=“1”の場合には、リニアＰＣＭ以外であることを示す（Audio sample word used for other purposes）。
ＩＥＣ６０９５８−３によりリニアＰＣＭの信号を伝送する場合には、Bit1=“0”を格納することになるが、ＩＥＣ６１９３７は圧縮符号化オーディオ信号、即ちノンリニアＰＣＭの信号を伝送する規格であるので、Bit1=“1”を格納することになる。同様にして、ＤＳＤ対応フォーマットとしても、ノンリニアＰＣＭの範疇に含まれるＤＳＤ信号を伝送するので、Bit1=“1”を格納するように規定することとなる。
【００４８】
Bit2としての１ビットは、対応するコンテンツの著作権保護に関する情報を示す(Copyright information)。
【００４９】
Bit3〜Bit5(Bits 3 to 5)による３ビットは、Bit1の「Linear PCM identification」により示されたデジタルオーディオ信号形式についての付加的な情報を示すものとされる(Additional format information)。なお、この「Additional format information」は、Bit1が“1”とされて、ノンリニアＰＣＭの信号を伝送する規格とされる場合においてのみ、有意となるものとして規定されている。つまり、ここでは、ＩＥＣ６０９５８−３、ＩＥＣ６１９３７、ＤＳＤ対応フォーマットのうち、ＩＥＣ６１９３７、ＤＳＤ対応フォーマットの場合においてのみ、この「Additional format information」の領域が有効性を持つことになる。実際において、この「Additional format information」（信号種別識別情報）としての付加的な情報の内容は、デジタルオーディオ信号形式をより具体的に示すものとなる。
【００５０】
そして、本実施の形態に対応しては、「Additional format information」を図９に示すようにして定義する。
先ず、Bits 3 to 5=“000”は、「Default state for applications other than linear PCM」を示すものとして定義されているが、この定義は、実際においては、ＩＥＣ６１９３７の下で、伝送オーディオ信号の形式が圧縮符号化オーディオ信号であることを示す。
本実施の形態としてのＤＳＤ対応フォーマットを規定する以前にあっては、Bits 3 to 5は、ＩＥＣ６１９３７との対応で、Bits 3 to 5=“000”のみが定義され、残る全ての“001”〜“111”は、予約(reserved)とされていたものである。
そこで、本実施の形態によりＤＳＤ対応フォーマットを新たに規定することに対応しては、「Additional format information」として、図示するようにして、伝送オーディオ信号形式がＤＳＤ信号であることを示すBits3 to 5=“001”（「For DSD bitstream applications」）を新たに追加して定義することとしたものである。
つまり、Bits 3 to 5の「Additional format information」としては、ＩＥＣ６１９３７により圧縮符号化オーディオ信号を伝送する場合においては“000”を格納するが、ＤＳＤ対応フォーマットによりＤＳＤ信号を伝送する場合においては、“001”を格納することになる。
【００５１】
Bit8〜Bit15(Bits 8 to 15)による８ビット(１バイト)は、カテゴリ・コード（Category code）であり、伝送オーディオ信号（Digital audio interface signal）を生成する機器（Equipment）を示すものとされている。
【００５２】
Bit16〜Bit19(Bits 16 to 19)による４ビットは、ソース・ナンバ（Source number）であり、伝送オーディオ信号から成るソースの番号を示す。
【００５３】
Bit20〜Bit23(Bits 20 to 23)による４ビットは、チャンネル番号(Channel number)であり、伝送オーディオ信号が対応するオーディオチャンネルを示す。このチャンネル番号の情報項目は、ＩＥＣ６０９５８−３、ＩＥＣ６１９３７の下で使用されているもので、現状においては、ステレオチャンネル構成におけるＬ（左）チャンネルとＲ(右)チャンネルの別を示すものとされる。
本実施の形態のＤＳＤ対応フォーマットにおいては、ステレオチャンネルだけではなく、３チャンネル以上の所定のオーディオチャンネル構成によるマルチチャンネル構成のコンテンツを成すＤＳＤ信号の伝送もサポートする。また、ＤＳＤ信号は、ビット長が１の信号とみることができ、この点で、リニアＰＣＭ若しくは圧縮符号化オーディオ信号を伝送する場合のチャンネルごとの信号のサブフレームへの振り分けの手法をそのまま適用することが難しい。そこで、ＤＳＤ対応フォーマットにおいては、オーディオチャンネル構成についての識別を、図５（ｃ）のサブフレーム構造において規定しているチャンネルＩＤによって行えるように規定することとした。
【００５４】
図１０は、上記チャンネルＩＤについての定義内容例を示している。
図５（ｃ）に示すサブフレーム構造においては、チャンネルＩＤは、タイムスロット20〜26の７ビットから成るものとしている。
タイムスロット20〜26=“0000000”の場合には、現サブフレームがフレームにおける第1サブフレーム(subframe1：前フレーム)であれば、３チャンネル以上のマルチチャンネルにおける第１チャンネル、若しくはステレオチャンネルにおけるＬ(左)チャンネルを示し、現サブフレームが第２サブフレーム(subframe2：後フレーム)であれば、マルチチャンネルにおける第２チャンネル、若しくはステレオチャンネルにおけるＲ(右)チャンネルを示す。
タイムスロット20〜26=“1000000”の場合には、現サブフレームがフレームにおける第1サブフレーム(subframe1：前フレーム)であれば、マルチチャンネルにおける第３チャンネルを示し、現サブフレームが第２サブフレーム(subframe2：後フレーム)であれば、マルチチャンネルにおける第４チャンネルを示す。
タイムスロット20〜26=“0100000”の場合には、現サブフレームがフレームにおける第1サブフレーム(subframe1：前フレーム)であれば、マルチチャンネルにおける第５チャンネルを示し、現サブフレームが第２サブフレーム(subframe2：後フレーム)であれば、マルチチャンネルにおける第６チャンネルを示す。
タイムスロット20〜26=“1100000”の場合には、現サブフレームがフレームにおける第1サブフレーム(subframe1：前フレーム)であれば、マルチチャンネルにおける第７チャンネルを示し、現サブフレームが第２サブフレーム(subframe2：後フレーム)であれば、マルチチャンネルにおける第８チャンネルを示す。
このようにして、ＤＳＤ対応フォーマットにおいては、サブフレーム内におけるチャンネルＩＤにより、現サブフレームにより伝送するＤＳＤ信号が、どのオーディオチャンネルに対応するものであるのかを特定して示すようにされる。なお、上記図１０に示した定義内容例では、８チャンネルまでのマルチチャンネル構成に対応するものとしているが、対応可能な最大チャンネル数については、与えられたビット数に応じて表現可能な数値範囲の下で適宜変更して定義してよい。
【００５５】
次に、図６のチャンネルステイタス情報において、Bit24〜Bit27(Bits 24 to 27)による４ビットは、サンプリング周波数(Sampling frequency)であり、伝送オーディオ信号の形式に対応するサンプリング周波数を示す。
図１１を参照して、先ず、現状においてＩＥＣ６０９５８−３にて定義されている内容を説明する。
Bits 24 to 27=“0010”は、伝送オーディオ信号のサンプリング周波数が22.05kHzであることを示す。
Bits 24 to 27=“0000”は、伝送オーディオ信号のサンプリング周波数が44.1kHzであることを示す。
Bits 24 to 27=“0001”は、伝送オーディオ信号のサンプリング周波数が88.2kHzであることを示す。
Bits 24 to 27=“0011”は、伝送オーディオ信号のサンプリング周波数が176.4kHzであることを示す。
Bits 24 to 27=“0110”は、伝送オーディオ信号のサンプリング周波数が24kHzであることを示す。
Bits 24 to 27=“0100”は、伝送オーディオ信号のサンプリング周波数が48kHzであることを示す。
Bits 24 to 27=“0101”は、伝送オーディオ信号のサンプリング周波数が96kHzであることを示す。
Bits 24 to 27=“0111”は、伝送オーディオ信号のサンプリング周波数が192kHzであることを示す。
Bits 24 to 27=“1100”は、伝送オーディオ信号のサンプリング周波数が32kHzであることを示す。
Bits 24 to 27=“1000”は、伝送オーディオ信号のサンプリング周波数を示していないことを表す。
Bits 24 to 27=“1001”は、伝送オーディオ信号のサンプリング周波数が768kHzであることを示す。
上記の定義内容は、ＩＥＣ６０９５８−３であれば、伝送オーディオ信号であるＰＣＭ信号の形式に応じたサンプリング周波数をそのまま示すものとなる。また、ＩＥＣ６１９３７においても、上記の定義内容を適用する。このＩＥＣ６１９３７では、圧縮符号化オーディオ信号をデコードしてＰＣＭ形式のデジタルオーディオ信号としたときのサンプリング周波数を示すものとなる。また、ＩＥＣ６０９５８−３、ＩＥＣ６１９３７では、上記した以外のBits 24 to 27の値は、全て予約(reserved)とされているものである。
【００５６】
ＤＳＤ信号は、１ビット形式のデジタルオーディオ信号であり、そのサンプリング周波数は、例えばＳＡＣＤに対応するものでは、ステレオ２チャンネルの場合には2.8224MHz(=64fs:fs=44.1kHz)とされ、リニアＰＣＭ若しくは圧縮符号化オーディオ信号などと比較すると相当に高い。従って、図１１に示した定義内容をＤＳＤ対応フォーマットにてそのまま適用しても、ＤＳＤ信号には、該当するサンプリング周波数が事実上存在しないことになる。つまり、ＩＥＣ６０９５８−３、ＩＥＣ６１９３７に対応するこれまでのサンプリング周波数の定義内容のままでは、ＤＳＤ信号に対応することができない。
【００５７】
そこで、本実施の形態のＤＳＤ対応フォーマットにあっては、チャンネルステイタス情報におけるサンプリング周波数に関しては、次のようにして定義することとする。
先ずは、ＤＳＤ対応フォーマットにおいても、Bit24〜Bit27(Bits 24 to 27)はサンプリング周波数（Sampling frequency）を示すための領域であることとし、ここには、原則として、図１１に示される定義内容を適用する。
そのうえで、ＤＳＤ対応フォーマットにおいては、このBits 24 to 27により特定されるべきサンプリング周波数について、「ＤＳＤ信号を伝送する場合(Bits 3 to 5=“001”の場合)には、伝送オーディオ信号であるＤＳＤ信号の実サンプリング周波数は、Bits 24 to 27の領域にて示されるサンプリング周波数を、８×オーディオチャンネル数により乗算した値により表されるものとする(If Bits 3 to 5 are “001”,real DSD sampling frequency is 8 by numbers of channels times frequency denoted by this field)」という規則を定義するようにされる。
従って、例えばＳＡＣＤに記録されるステレオ２チャンネルのＤＳＤ信号を伝送オーディオ信号とする場合には、実サンプリング周波数は2.8224MHzであることになるが、このサンプリング周波数が表されるためには、Bits 24 to 27において、2.8224MHz/(8×2)＝176.4kHzを示す “0011”を格納すべきことになる。また、ＳＡＣＤに記録される８チャンネル構成のＤＳＤ信号の実サンプリング周波数は、11.2896MHz=(2.8224MHz×(8/2))となる。このサンプリング周波数を表す場合にも、Bits 24 to 27には、11.2896MHz/(8×8)＝176.4kHzを示す“0011”を格納すべきことになる。つまり、少なくともＳＡＣＤに記録されるＤＳＤ信号の場合には、共通でBits 24 to 27=“0011”を格納するように配慮されている。
元来、ＤＳＤ信号のサンプリング周波数は、リニアＰＣＭ形式において標準的に採用されるサンプリング周波数への変換（ダウンコンバージョン）に適するべきことを考慮して設定されているので、ＩＥＣ６０９５８−３（ＩＥＣ６１９３７）のチャンネルステイタス情報において規定されているリニアＰＣＭ形式のサンプリング周波数を整数倍することにより、ほとんどの場合、ＤＳＤ信号のサンプリング周波数を表現できる。上記したＤＳＤ信号のサンプリング周波数を表現する規則は、このことに基づいて定めたものである。このようにして、ＤＳＤ信号のサンプリング周波数そのものを、チャンネルステイタス情報のサンプリング周波数の領域にて新たに定義するのではなく、これまでに定義されているサンプリング周波数を整数倍して表現することで、予約されている値をみだりに使用して枯渇させてしまうことがなくなる。
但し、近年においては、ＤＳＤ信号形式により録音が可能な機器が知られるようになってきており、これに伴って、ＤＳＤ信号については、上記したＳＡＣＤに記録されるＤＳＤ信号以外のサンプリング周波数も採用される傾向にあり、また、将来的には、多様なサンプリング周波数が採用される可能性も出てきている。従って、このような他のＤＳＤ信号のサンプリング周波数を表すのにあたって、これまでのＩＥＣ６０９５８−３、ＩＥＣ６１９３７に対応したBits 24 to 27の定義内容のなかに該当するものが存在しなくなる可能性も否定できない。このときには、予約されている値のうちから適当なものを選択して使用することで、新たにサンプリング周波数を定義すればよい。
【００５８】
説明を図６に戻す。
この図に示されるチャンネルステイタス情報において、Bit28,Bit29による２ビットは、クロック精度（Clock accuracy）であり、信号を伝送するにあたってのクロック精度のレベルを示す。
【００５９】
Bit32〜Bit35(Bits 32 to 35)による４ビットは、ワード長(Word length)であり、現チャンネルステイタス情報が対応するサブフレームに格納されるオーディオ信号のワード長を示す。
【００６０】
Bit36〜Bit39(Bits 36 to 39)による４ビットは、オリジナルサンプリング周波数(Original Sampling frequency)である、伝送オーディオ信号が例えば再生時などにおいてサンプリング周波数変換を要するものである場合において、周波数変換前のサンプリング周波数を示す。
【００６１】
Bit40,Bit41による２ビットは、ＣＧＭＳ−Ａ（Copy Generation Management System-Analog）であり、コピー管理システムであるＣＧＭＳ−Ａに関する設定内容を示す。
Bit28,Bit29,及びBit42〜Bit191は、現状においては、未使用とされている。
【００６２】
続いては、ＤＳＤ対応フォーマットのサブフレームにおける保護ビットについて説明する。
この保護ビットは、図５（ｃ）において示されるようにして、サブフレームにおけるタイムスロット２７としての１ビットに対して“0”を格納するものであるが、これは、次のような意義を有する。
【００６３】
ＩＥＣ６１９３７では、データ伝送をバースト伝送方式により行うべきこととされている。このバースト伝送は、例えば図１２（ａ）に示すようにして、Data-burstとしての伝送オーディオ信号を格納するフレームシーケンスから成る単位データと、Stuffingとしての伝送オーディオ信号を格納しない無効なデータから成る単位データを交互に送信する。Stuffingは、例えばオーディオ信号データ(Audio bitstream)を格納するタイムスロット１２〜２７の各ビットに対して全て“0”を格納したサブフレームが４つ連続して成るものとされる。
また、１つのData-burstは、図１２（ｂ）に示すようにして、先頭から順に４つのプリアンブル・ワード(Preamble word)Ｐａ、Ｐｂ、Ｐｃ、Ｐｄが存在し、これに続けて、伝送オーディオ信号を格納するBurst-payloadが配置される構造としてみることができる。
【００６４】
プリアンブル・ワードＰａ、Ｐｂ、Ｐｃ、Ｐｄは、Data-burst内において必須に設けられるべきこととされており、実際には、連続する４つのサブフレームにおけるタイムスロット１２〜２７としての１６ビットを使用して形成される。つまり、本来はオーディオ信号データ(Audio bitstream)を格納する領域を特別にプリアンブル・ワードとして使用するものである。
【００６５】
図１３は、上記プリアンブル・ワードＰａ、Ｐｂ、Ｐｃ、Ｐｄについての定義内容を示している。
この図に示すように、まず、プリアンブル・ワードＰａ、Ｐｂは、それぞれ、Sync word1、Sync word2とされ、Data-burstの開始を示す機能を有する。Sync word1としてのプリアンブル・ワードＰａはMSB(Most Significant Bit)〜LSB(Least Significant Bit)＝“0xF872”(0xは１６進法表記であることを示す)と規定され、Sync word2としてのプリアンブル・ワードＰｂはMSB〜LSB＝“0x4E1F”と規定されている。
プリアンブル・ワードＰｃは、Burst-infoとして定義されており、現Data-burstのBurst-payloadに関する所定内容の情報を格納する。
プリアンブル・ワードＰｄは、Length-codeとされ、現Data-burstのBurst-payloadについてのデータ長（データサイズ）を示す。このBurst-payloadのデータ長は、格納する伝送オーディオ信号の種別に応じて異なる。
【００６６】
例えば、ＩＥＣ６１９３７に対応して伝送信号を受信可能な機器では、上記プリアンブル・ワードＰａ、Ｐｂを検知したタイミングに基づいて、受信データの同期を図り、プリアンブル・ワードＰｃが示すデータ長に従って、プリアンブル・ワードＰｄに続くBurst-payloadの取り込みを開始するようにされる。
上記のＩＥＣ６１９３７に対応する機器の動作は、換言すれば、圧縮符号化オーディオ信号を受信する際には、上記プリアンブル・ワードＰａ、Ｐｂを検知しなければ、データの取り込みは開始しないことということを意味する。このことに基づいて、ＤＳＤ対応フォーマットにおいてはサブフレームのタイムスロット２７に位置する保護ビットとして“0”を格納するものである。
【００６７】
つまり、タイムスロット２７は、図５（ｂ）のＩＥＣ６１９３７のサブフレームでは、オーディオ信号データ(Audio bitstream)を格納する領域におけるＭＳＢとなるのであるが、図５（ｃ）のサブフレーム構造を、ＩＥＣ６１９３７のサブフレームとして見たとすると、オーディオ信号データの格納領域内のＭＳＢに対して “0”が格納されているということになる。そして、このことは、プリアンブル・ワードＰａが“0xF872”であることと照らし合わせると、図５（ｃ）のサブフレーム構造では、タイムスロット１２〜２７による１６ビットの領域が“0xF872”となることはあり得ない、という結果を生じる。
このようにして、ＤＳＤ対応フォーマットにおいて、タイムスロット２７を保護ビットとして規定し、“0”を格納することとしているのは、タイムスロット１２〜２７による１６ビットの領域が、ＩＥＣ６１９３７におけるプリアンブル・ワードＰａのビットシーケンスである“0xF872”と同じにならないようにすることを、その目的としているものである。なお、この保護ビットにより生じる効果については後述する。
【００６８】
これまでに図６〜図１３を参照して説明したようにして、ＤＳＤ対応フォーマットとしてのサブフレーム構造とチャンネルステイタス情報とを規定することにより、ＩＥＣ６０９５８インターフェイス上でＤＳＤ信号を伝送することが可能となる。そして、このようなＤＳＤ信号の伝送を実際に実現するためには、先ず、ＤＳＤ信号をＩＥＣ６０９５８インターフェイス経由で送信する装置については、これまでに述べてきたＤＳＤ対応フォーマットの規定に従って送信データを生成可能に構成することになる。一方、ＩＥＣ６０９５８インターフェイス経由でＤＳＤ信号を受信する装置は、ＤＳＤ対応フォーマットの規定に従って送信されてくるデータを適正に解釈して、正常な受信処理が行えるように構成することになる。
【００６９】
例えば、図１に示したシステムにおいては、ＤＳＤ信号をＩＥＣ６０９５８インターフェイス経由で送信する装置がＳＡＣＤ対応再生装置１であり、送信されてくるＤＳＤ信号に対応した受信処理を行う装置がＤＳＤ対応アンプ装置２であることになる。
【００７０】
先ず、ＳＡＣＤ対応再生装置１において、ＳＡＣＤ再生部１１は、先に図２により述べたように、装填されたＳＡＣＤに記録されているＤＳＤ信号を再生し、ＩＥＣ６０９５８送信部１２に出力する。
ＩＥＣ６０９５８送信部１２において、送信データ生成部１２ａは、入力されてくるＤＳＤ信号を利用して、本実施の形態のＤＳＤ対応フォーマットに従ってＤＳＤ信号を伝送するのに適合した送信データを生成する。
つまり、入力されるＤＳＤ信号としてのビットストリーム(DSD bitstream)を１６ビット単位で区切るようにして分割する。そして、図５（ｃ）に示すＤＳＤ対応フォーマットに対応するサブフレームのデータ構造を用意して、このサブフレーム構造におけるタイムスロット４〜１９に上記１６ビット単位を格納していくようにされる。また、このようにして１６ビット単位のＤＳＤ信号を格納するサブフレームごとにおいては、図６に示したチャンネルステイタス情報として、図７〜図９、及び図１１により説明した内容を有するものとなるようにして、しかるべきチャンネルステイタスビット（タイムスロット３０）の値を格納するようにされる。また、タイムスロット２０〜２６によるチャンネルＩＤには、格納した１６ビット単位のＤＳＤ信号が対応するオーディオチャンネルを示す値を、適宜格納するようにされる。
このようにして、送信データ生成部１２ａは、ＤＳＤ信号が入力されてくる場合には、ＤＳＤ対応フォーマットに従ったサブフレームを生成し、さらにこのサブフレーム単位によるシーケンスを基として生成したフレーム、ブロックを成すデータを、送信データとして、順次、所定タイミングにより出力することが可能とされる。送出部１２ｂは、送信データ生成部１２ａから入力される送信データを、例えばＩＥＣ６０９５８に従った物理層規格に従った伝送信号に変換して出力する。この伝送信号出力により、ＩＥＣ６０９５８インターフェイス経由でのＤＳＤ信号の伝送が行われることとなる。
【００７１】
次に、ＤＳＤ対応アンプ装置２において、ＩＥＣ６０９５８受信部２２（図３参照）が実行するものとされる、受信伝送信号により伝送されてくるオーディオ信号種別の判定処理例について、図１４のフローチャートにより説明する。
なお、例えばＩＥＣ６０９５８受信部２２は、この図に示す処理と併行して、自身が受信取得するサブフレームからチャンネルステイタスビットを抽出して、逐次、チャンネルステイタス情報を生成、保持する処理を実行しているものとする。図１４に示す処理は、例えばチャンネルステイタス情報が新規に生成、保持されるごとに、実行されるものとされる。また、この場合には、ＤＳＤ対応アンプ装置２(及び送信元のＳＡＣＤ対応再生装置１)は、民生用機器であり、従って、Bit0=“0”を格納するチャンネルステイタス情報に対応するものであることを前提とする。
【００７２】
ステップＳ１０１においては、先ず、上記のようにして生成されて保持されている最新のチャンネルステイタス情報のBit1について、“0”と“1”の何れとされているのかについて判別する。
Bit1=“0”と判別された場合には、伝送信号により伝送されるデジタルオーディオ信号は、図８にて説明したように、ＩＥＣ６０９５８−３が対応するリニアＰＣＭ形式であることになる。この場合には、ステップＳ１０２に進み、受信取得されるＩＥＣ６０９５８−３のサブフレーム構造（図５（ａ）参照）から、タイムスロット８〜２７の領域に格納されるオーディオ信号（Audio sample word）を順次抽出して連結していくようにして、リニアＰＣＭオーディオ信号を復元する復調処理（ＩＥＣ６０９５８−３対応復調処理）を実行する。そして、ステップＳ１０３により、セレクタ２３についての切換制御を行って、上記のようにして得られるリニアＰＣＭ形式の信号を、リニアＰＣＭ対応信号処理部２４に出力させる。リニアＰＣＭ対応信号処理部２４は、入力されたリニアＰＣ形式のデジタルオーディオ信号について、例えばスピーカからの音声再生のための信号処理を実行するのであるが、このときには、例えばチャンネルステイタス情報におけるチャンネル番号(Bits 20 to 23)、サンプリング周波数(Bit24〜Bit27)などの内容に応じて、その信号処理のための所定のパラメータを適宜変更するようにされる。
【００７３】
また、ステップＳ１０１においてBit1=“1”と判別された場合には、伝送信号により伝送されるデジタルオーディオ信号は、ＩＥＣ６０９５８−３が対応するリニアＰＣＭ形式以外であることになる。そこでこの場合には、ステップＳ１０４に進み、チャンネルステイタス情報におけるBits 3 to 5の値が何であるのかについて判定するようにされる。本実施の形態において規定されるBits 3 to 5は、図９により示したようにして、Bit1=“1”である場合において、リニアＰＣＭ形式以外のデジタルオーディオ信号として、ＩＥＣ６１９３７が対応する圧縮符号化オーディオ信号であるのか、あるいはＤＳＤ対応フォーマットが対応するＤＳＤ信号であるのかを示す。
【００７４】
ステップＳ１０４において、Bits 3 to 5=“000”であるとの判定結果が得られた場合には、ＩＥＣ６１９３７が対応する圧縮符号化オーディオ信号を示していることになる。そこで、この場合には、ステップＳ１０５により、受信取得されるＩＥＣ６１９３７のサブフレーム構造（図５（ｂ）参照）から、タイムスロット１２〜２７の領域に格納されるオーディオ信号（Audio bitstream）を順次抽出して連結していくようにして、圧縮符号化オーディオ信号を復元する復調処理（ＩＥＣ６１９３７対応復調処理）を実行し、続くステップＳ１０６により、セレクタ２３についての切換制御を行って、上記ステップＳ１０５により得られる圧縮符号化オーディオ信号を、圧縮音声対応信号処理部２５に出力させる。圧縮音声対応信号処理部２５も、入力された圧縮符号化オーディオ信号について、例えばチャンネルステイタス情報におけるチャンネル番号(Bits 20 to 23)、サンプリング周波数(Bit24〜Bit27)などの内容に応じて、信号処理用のパラメータを適宜変更して、スピーカからの音声再生のための信号処理を実行する。
【００７５】
また、ステップＳ１０４において、Bits 3 to 5=“001”であるとの判定結果が得られた場合には、ＤＳＤ対応フォーマットが対応するＤＳＤ信号を示していることになる。この場合には、ステップＳ１０７により、受信取得されるＤＳＤ対応フォーマットのサブフレーム構造（図５（ｃ）参照）から、タイムスロット４〜１９の領域に格納されるオーディオ信号（Audio bitstream）を順次抽出して連結していくようにして、圧縮符号化オーディオ信号を復元する復調処理（ＤＳＤ対応フォーマット対応復調処理）を実行し、続くステップＳ１０８により、セレクタ２３についての切換制御を行って、上記ステップＳ１０７により得られるＤＳＤ信号を、ＤＳＤ対応信号処理部２６に出力させる。ＤＳＤ対応信号処理部２６も、入力された圧縮符号化オーディオ信号について、チャンネルステイタス情報におけるチャンネル番号(Bits 20 to 23)、サンプリング周波数(Bit24〜Bit27)などの内容に応じて、信号処理用のパラメータを適宜変更して信号処理を実行する。
また、ステップＳ１０４において、Bits 3 to 5について“000”と“001”の何れでもない、その他の値であることが判別された場合には、伝送されるデジタルオーディオ信号形式が、自身が対応可能なリニアＰＣＭ、圧縮符号化オーディオ信号、及びＤＳＤ信号の何れでもないということになる。そこで、この場合には、受信される伝送信号についての復調処理を実行しないようにして、この図に示す処理を終了する。
【００７６】
上記のアルゴリズムから理解されるように、ＩＥＣ６０９５８インターフェイス経由でのＤＳＤ信号伝送に対応する機器であるＤＳＤ対応アンプ装置２は、ＤＳＤ信号が伝送されてくる場合には、これを認識して適正な再生信号処理を実行可能とされているものである。
【００７７】
次に、図１５のフローチャートにより、ＤＳＤ未対応アンプ装置２（図４参照）において、ＩＥＣ６０９５８受信部３２が実行するものとされる、オーディオ信号種別の判定処理例を説明する。
この場合にも、図１４の場合と同様に、ＩＥＣ６０９５８受信部３２は、この図に示す処理と併行して、自身が受信取得するサブフレームからチャンネルステイタスビットを抽出して、チャンネルステイタス情報を生成、保持する処理を実行しているものとされ、この図１５に示す処理も、例えばチャンネルステイタス情報が新規に生成、保持されるごとに、実行されるものとする。また、ＤＳＤ未対応アンプ装置３も民生用機器であって、Bit0=“0”のチャンネルステイタス情報に対応するものであることを前提とする。
【００７８】
図１５におけるステップＳ２０１〜Ｓ２０６の手順は、先の図１４におけるステップＳ２０１〜Ｓ２０６に対応するものとなる。ただし、ＤＳＤ未対応アンプ装置３は、ＤＳＤ信号の伝送には対応していないことから、ステップＳ２０４においては、Bits 3 to 5について“000”であるか、若しくはこれ以外のその他の値であるのかについての判別のみを行うようにされている。そして、ステップＳ２０４において、Bits 3 to 5について“000”であると判別した場合には、そのときに受信されている信号については、特に復調処理、再生信号処理を行わないようにされる。
このようにして、例えばＩＥＣ６０９５８−３、ＩＥＣ６１９３７のみに対応し、ＤＳＤ信号の伝送に対応しないＤＳＤ未対応受信装置では、Bits 3 to 5の値を参照することにより、この値が“000”以外であれば、受信信号についての有効な処理は特に行わないようにされている。つまり、本実施の形態のＤＳＤ対応フォーマットは、ＤＳＤ信号を伝送することを、Bits 3 to 5において新たに“001”を使用して定義することとしているが、これにより、ＤＳＤ信号の伝送に対応しない受信装置が、ＤＳＤ信号を、自身が対応可能な信号であると誤認識して、その後の有効なデジタルオーディオ信号についての処理を実行することがないようにされているものである。
【００７９】
ただし、現実においては、ＩＥＣ６０９５８−１、ＩＥＣ６０９５８−３に対応する全ての受信装置が、チャンネルステイタス情報のBits 3 to 5の値を必ず参照しているものではないことが分かっている。つまり、図１５との対応であれば、ステップＳ２０４の処理を省略して、そのまま、ステップＳ２０５、Ｓ２０６の手順を実行してしまうものである。
例えば、製造側の判断として、ＩＥＣ６０９５８インターフェイス機能を有する受信装置に対して、この受信装置が対応しない種別のオーディオ信号を出力する送信装置を接続するようなことを、ユーザが敢えて行うことは稀であろうと考え、この判断に基づいて、Bits 3 to 5を参照してチェックする処理を省略して受信装置を製造してしまうことがある。現状においては、リニアＰＣＭ形式と、圧縮符号化オーディオ信号以外の信号をＩＥＣ６０９５８系のインターフェイスにより伝送することはあまり一般的ではないので、上記の判断は相応の妥当性を有している。また、現に、伝送オーディオ信号の種別が送信装置と受信装置とで対応してさえいれば、Bits 3 to 5を参照してチェックを行わなくとも、受信装置側では、正常にオーディオ信号を受信復調してしかるべき処理を行うことができる。
【００８０】
しかし、このようなBits 3 to 5の値を参照しないＤＳＤ未対応受信装置に対して、本実施の形態のＳＡＣＤ対応再生装置１のようなＤＳＤ信号を送信する送信装置を接続し、実際にＤＳＤ信号の伝送を行ったとすると、例えば、ＤＳＤ未対応受信装置は、伝送されてくる信号をＩＥＣ６１９３７などに対応する圧縮符号化オーディオ信号であると誤認識して、ＩＥＣ６１９３７に対応する構成によってＤＳＤ信号を処理することになってしまう。
【００８１】
本実施の形態のＤＳＤ対応フォーマットにおいては、このような誤動作を回避、防止するために、サブフレームのタイムスロット２７を保護ビットとして規定し、ここに “0”を格納しているものである。
先に述べたように、保護ビットとしてタイムスロット２７に“0”を格納すれば、サブフレームにおけるタイムスロット１２〜２７から成る１６ビットは、ＩＥＣ６１９３７において規定されているプリアンブル・ワードＰａ（Sync word1）である “0xF872”と同じになることはなくなる。
【００８２】
図１６は、ＩＥＣ６１９３７に対応する受信装置が、バースト伝送による送信データを受信するための処理手順を示している。例えばこの受信装置が、ＤＳＤ未対応アンプ装置３であるとすれば、この図の処理は、ＩＥＣ６０９５８受信部３２が実行することになる。
ステップＳ１０１においては、送信装置側からのデータの送信に応じて受信されるデータについて、プリアンブル・ワードＰａ、Ｐｂに対応するSync word1、Sync word2（“0xF872”、“0x4E1F”）が検知されるのを待機している。そして、このSync word1、Sync word2を検知すると、ステップＳ３０２により、上記ステップＳ３０１により検知したSync word1、Sync word2のビットパターン、即ちプリアンブル・ワードＰａ、Ｐｂを持つData-burst内のBurst-payloadの取り込みを開始するようにされる。ＩＥＣ６０９５８受信部３２は、このようにして取り込まれたBurst-payloadを形成するサブフレームから、オーディオ信号を抽出して復元することになる。Burst-payloadの取り込みは、プリアンブル・ワードより後に続くデータを、例えばプリアンブル・ワードＰｄが示すサイズ（データ長）分だけ取り込むようにして行われ、そのサイズ分のデータの取り込みが終了したとされると、ステップＳ３０３において取り込みが終了したものと判別されて、ステップＳ３０１に戻るようにされる。
【００８３】
上記のようにして、ＩＥＣ６１９３７に対応した受信処理にあっては、プリアンブル・ワードＰａ、Ｐｂに対応するSync word1、Sync word2を有する２フレームが連続して送信されてきたことを検知してはじめて、Burst-payloadの取り込みを実行する。換言すれば、プリアンブル・ワードＰａ、Ｐｂに対応した連続する２フレームが検知されない限りは、Burst-payloadの取り込みを開始することはない。
【００８４】
すると、例えばＩＥＣ６１９３７に対応する受信装置がBits 3 to 5の値を参照しない構成であるとしても、本実施の形態のＤＳＤ対応フォーマットに従った伝送信号を送信した場合には、いつになってもプリアンブル・ワードＰａ（Sync word1）を検知することはない。従って、いつになっても、プリアンブル・ワードＰａ、Ｐｂに対応するSync word1、Sync word2を検知することはなく、図１６との対応では、ステップＳ３０２のBurst-payloadの取り込みを開始することはない。Burst-payloadの取り込みが開始されなければ、例えば以降におけるオーディオ信号についての信号処理などが行われることもない。
つまり、本実施の形態のＤＳＤ対応フォーマットは、サブフレームのタイムスロット２７（保護ビット）を“0”とすることで、ＤＳＤ未対応の受信装置が、例えばＤＳＤ信号について、誤って信号処理を行ってしまうことを、ほぼ確実に防止することが可能とされているものである。
例えば、図１に示したシステム構成との対応であれば、仮に、ＤＳＤ未対応アンプ装置３がBits 3 to 5を参照しない構成とされていたとしても、本実施の形態のＤＳＤ対応フォーマットに対応する送信装置であるＳＡＣＤ対応再生装置１からＤＳＤ信号を送信するときには、図５（ｃ）に示したサブフレーム構造により送信を行うことになる。従って、このＤＳＤ信号が伝送されてきている状態にあるとしても、ＤＳＤ未対応アンプ装置３は、結果として再生、増幅などの動作を実行することはなく、無音の状態を維持できる。
【００８５】
ところで、デジタルコンテンツには著作権保護技術を積極的に採用することがしばしばある。そこで、本実施の形態のＤＳＤ対応フォーマットにおいても、伝送されるＤＳＤ信号のコンテンツについて著作権保護技術を適用することとした場合には、例えば先に図５（ｃ）に示したサブフレーム構造に代えて、図１７に示す構造とすることが考えられる。
図１７に示されるサブフレーム構造においては、タイムスロット２０の１ビットをEven/Odd flagとして定義し、タイムスロット２１の１ビットをEncrypt flagとして定義している。これに伴い、チャンネルＩＤは、タイムスロット２２〜２６による５ビットの領域に変更される。これら以外の定義内容は、図５（ｃ）と同様になる。
【００８６】
先ず、タイムスロット２１のEncrypt flagは、現サブフレームに格納されるＤＳＤ信号（を含むオーディオコンテンツ）が暗号化されているか否かを示すもので、例えば図１８に示すようにして、“0”であれば、暗号化されていないことを示し(Data is not encrypt)、“1”であれば暗号化されていることを示す(Data is encrypt)。
【００８７】
本実施の形態のＤＳＤ対応フォーマットにおいて採用する暗号化方式は、例えばＤＴＣＰ(Digital Transmission Content Protection)などとされるが、周知のようにして、ＤＴＣＰでは、キーリニューアルなどといわれる、定期的な暗号鍵の自動更新が行われる。
タイムスロット２０のEven/Odd flagは、上記した暗号鍵の自動更新の状況を示す。例えば、図１９に示されるように、“0”がEvenを表し、“1”がOddを表す。このEven/Oddの切り換わりにより、暗号鍵の更新タイミングと、送信側と受信側とでそれぞれ更新した暗号鍵についての対応が正常であるかどうかが分かるようにされる。なお、暗号鍵の交換などのための通信については、この場合には、例えばＩＥＣ６０９５８系とは異なる所定の伝送路を使用することとすればよい。
例えば、本実施の形態としてＤＳＤ信号の暗号化に対応する場合には、例えば送信装置であるＳＡＣＤ対応再生装置１（送信データ生成部１２ａ）は、ＳＡＣＤから再生したＤＳＤ信号について暗号化を施した上で、図１７に示すサブフレームのタイムスロット４〜１９の領域に格納するとともに、タイムスロット２１のEncrypt flagには、“1”を格納し、タイムスロット２０のEven/Odd flagは、適宜、暗号鍵を更新するごとに、“0”、“1”を反転させて格納する。
また、受信装置であるＤＳＤ対応アンプ装置２は、受信したサブフレーム内のEncrypt flagを参照することで暗号化が施されているか否かについての判定を行い、暗号化が施されている場合には、Even/Odd flagを参照してキーリニューアルの制御に用いるようにされる。この結果、ＤＳＤ対応アンプ装置２側では、適正にＤＳＤ信号の暗号化についての復号を行えることになる。
【００８８】
また、５ビットとなったチャンネルＩＤ（タイムスロット22〜26）については、図２０に示すようにして定義することとした。この図に示す定義内容は、例えば先に図１０に示したタイムスロット20〜26までの7ビットのうち、タイムスロット20〜24までの5ビットの定義内容を抜き出したうえで、この5ビットを、タイムスロット22〜26に当て嵌めているものである。
【００８９】
これまでの説明において、新規に伝送する対象となるＤＳＤ信号は、ＳＡＣＤから再生される信号であることを前提としている。しかし、現状においては、ＳＡＣＤに対応する再生装置など以外でも、オーディオレレコーダであるとか、ＤＳＤ信号処理機能を有するアプリケーションをインストールしたパーソナルコンピュータなど、ＤＳＤ信号を扱うようにされた民生用の機器が普及しはじめてきている状況にある。これらの民生用機器にも、Ｌ、Ｒのステレオ２チャンネル構成だけではなく、３チャンネル以上のマルチチャンネル構成に対応するものがある。
これまでに説明した本実施の形態としての構成は、上記のようなＳＡＣＤに対応する以外のＤＳＤ信号を扱うことのできる機器においても適用が可能とされるものであり、むしろ、このような機器にも適用されることで、本実施の形態の構成はより有効に活用される可能性がある。
ＳＡＣＤとこれに対応する民生の再生システムは、現実には、オーディオ製品のうちでもハイエンドに属するものであり、非常に高価である。また、ＳＡＣＤから再生して得られるＤＳＤ信号については、著作権保護を適用することがほとんどであり、先に述べたＩＥＥＥ１３９４であるとかＨＤＭＩなどでは、ＤＴＣＰ、ＨＤＣＰ(High-bandwidth Digital Content Protection system)などの著作権保護技術を適用することができる。このために、ＤＳＤ信号を扱うシステムとしてＳＡＣＤのみを考えていればよいような環境では、未だ、上記ＨＤＭＩなどの高コストなインターフェイスを採用することに関しては、許容されているという実情があった。
しかし、ＳＡＣＤの分野以外でのＤＳＤ信号を扱う機器は、ＳＡＣＤのようなハイエンド機器としての位置づけではなく、より普及可能な価格帯が設定される可能性がある。また、このような機器では、例えばレコーダなどであれは、自分自身が録音したコンテンツなどを扱うことにもなるので、必ずしも、著作権保護技術を適用する必要はなくなる。このようなことを考慮すれば、先に述べたように、ＩＥＣ６１８３３−６(ＩＥＥＥ１３９４)、ＨＤＭＩなどのデジタルコンテンツインターフェイスを実装することはオーバースペックであって、より低コストで簡易なインターフェイスを実装することの必要性が高まってくる。そして、本実施の形態の構成を採用することとすれば、ＨＤＭＩなどと比較して低コストなデジタルオーディオ用のインターフェイスであるＩＥＣ６０９５８を実装することによりＤＳＤ信号の伝送が可能となるわけであり、その有用性は非常に高いものとなる。
【００９０】
また、上記の説明からも導かれることであるが、本願発明に対応する送信装置としては、実施の形態として挙げたＳＡＣＤ対応再生装置以外とされてもよい。同様に、受信装置側としても、オーディオ再生のためのアンプ装置以外の装置とされてよい。
【００９１】
また、例えばＩＥＣ６１８３３−６（ＩＥＥＥ１３９４）では、ＩＥＣ６０９５８規格に従ったオーディオデータの伝送を可能とする規定が存在するのであるが、この規定に本実施の形態を適用してＤＳＤ信号を伝送可能に構成することも、本願発明が妨げるところではない。例えば、図１に示したシステム構成は、ＳＡＣＤ再生装置１、ＤＳＤ対応アンプ装置２、及びＤＳＤ未対応アンプ装置３を、ＩＥＥＥ１３９４としてのデータインターフェイスにより接続する場合の一態様としてみることも可能である。つまり、図１では、ＳＡＣＤ再生装置１に対して、ＤＳＤ対応アンプ装置２とＤＳＤ未対応アンプ装置３がツリー状で並列的に接続されているが、これは、ＩＥＥＥ１３９４などのデータインターフェイスでは、「ブランチ接続」といわれる。なお、ＩＥＥＥ１３９４では、「デイジーチェーン接続」などといわれる、機器を直列的に接続してシステムを構成することも可能とされている。
【００９２】
さらに、本実施の形態では、ＩＥＣ６０９５８−３と、このＩＥＣ６０９５８−３を基にして規定されるＩＥＣ６１９３７インターフェイスを前提とし、これらの規格上でマルチチャンネルのＤＳＤ信号伝送を可能とする構成を例に挙げているが、本願発明に基づいた概念によりＤＳＤ信号の伝送を可能とする限り、基となるインターフェイス規格については特に限定されるべきものではない。
また、実施の形態にあっては、インターフェイス規格の拡張によって伝送可能とするオーディオ信号形式をＤＳＤ信号としているが、これ以外の形式のデジタルオーディオ信号を対象としても構わないものである。
さらに、実施の形態においては、ＩＥＣ６０９５８（ＩＥＣ６１９３７）を例に挙げたことに対応して、オーディオ信号を伝送する場合を例に挙げているが、本願発明としての構成を、ビデオ信号などの他のコンテンツ信号の伝送に適用することも可能である。
【００９３】
また、例えば図２における送信データ生成部１２ａが行うこととしたＤＳＤ対応フォーマットのサブフレームの生成は、ハードウェアにより行うことも可能とされるが、例えばプログラムに従ってＣＰＵ(Central Processing Unit)、若しくはＤＳＰ(Digital Signal Processor)などが演算を実行した結果として生成されるように構成することも可能である。また、図１４のフローチャートとして示した、ＤＳＤ対応アンプ装置２のＩＥＣ６０９５８受信部２２が実行するものとした受信処理も、プログラムに従ってＣＰＵなどが実行する動作として実現することが可能である。
上記のようなプログラムは、例えばＳＡＣＤ対応再生装置１(送信装置)、ＤＳＤ対応アンプ装置２(受信装置)などにおいて実際に備えられるＲＯＭやフラッシュメモリに対して製造時などに書き込んで記憶させるほか、リムーバブルの記憶媒体に記憶させておいたうえで、この記憶媒体からインストール(アップデートも含む)させるようにしてフラッシュメモリなどに記憶させることが考えられる。また、所定のデータインターフェイスを経由させるなどして、他の機器からの制御によってプログラムのインストールを行えるようにすることも考えられる。さらに、ネットワーク上のサーバなどにおける記憶装置に記憶させておいたうえで、送信装置、受信装置にネットワーク機能を持たせることとし、サーバからダウンロードして取得してインストールできるように構成することも考えられる。
【図面の簡単な説明】
【００９４】
【図１】本発明の実施の形態としてのＳＡＣＤ対応再生装置とＤＳＤ対応アンプ装置とを備えて成るオーディオ再生システムの構築例を示す図である。
【図２】実施の形態のＳＡＣＤ対応再生装置の構成例を示すブロック図である。
【図３】実施の形態のＤＳＤ対応アンプ装置の構成例を示すブロック図である。
【図４】ＤＳＤ未対応アンプ装置の構成例を示すブロック図である。
【図５】ＩＥＣ６０９５８−３、ＩＥＣ６１９３７のサブフレーム構造、及びＤＳＤ対応フォーマットのサブフレーム構造例を示す図である。
【図６】チャンネルステイタス情報の構造を示す図である。
【図７】チャンネルステイタス情報におけるBit0（Use of channel status block）の定義内容を示す図である。
【図８】チャンネルステイタス情報におけるBit1（Consumer use of channel status block）の定義内容を示す図である。
【図９】チャンネルステイタス情報におけるBits 3 to 5 (Additional format information)の定義内容例を示す図である。
【図１０】ＤＳＤ対応フォーマットのサブフレームにおけるチャンネルＩＤの定義内容例を示す図である。
【図１１】チャンネルステイタス情報におけるBits 24 to 27 (Sampling frequency)の定義内容例を示す図である。
【図１２】ＩＥＣ６１９３７におけるバースト転送のための送信データ内容を示す図である。
【図１３】ＩＥＣ６１９３７において規定されるプリアンブル・ワードＰａ、Ｐｂ、Ｐｃ、Ｐｄについての定義内容を示す図である。
【図１４】ＩＥＣ６０９５８伝送路経由でのデータ送信に対応したＤＳＤ対応アンプ装置の受信処理を示すフローチャートである。
【図１５】ＩＥＣ６０９５８伝送路経由でのデータ送信に対応したＤＳＤ未対応アンプ装置の受信処理を示すフローチャートである。
【図１６】ＩＥＣ６１９３７に対応したバースト伝送受信のための手順を示すフローチャートである。
【図１７】著作権保護に対応させる場合のＤＳＤ対応フォーマットのサブフレーム構造例を示す図である。
【図１８】図１７に示すサブフレーム構造におけるEncrypt flagの定義内容例を示す図である。
【図１９】図１７に示すサブフレーム構造におけるEven/Odd flagの定義内容例を示す図である。
【図２０】図１７に示すサブフレーム構造におけるチャンネルＩＤの定義内容例を示す図である。
【符号の説明】
【００９５】
１  ＳＡＣＤ対応再生装置、２  ＤＳＤ対応アンプ装置、３  ＤＳＤ未対応アンプ装置、１０  ＳＡＣＤ、１１  ＳＡＣＤ再生部、１２  ＩＥＣ６０９５８送信部、１２ａ  送信データ生成部、１２ｂ  送出部、１３  データ出力端子、２１・３１  データ入力端子、２２・３２  ＩＥＣ６０９５８受信部、２３・２７・３３・３７  セレクタ、２４・３４  リニアＰＣＭ対応信号処理部、２５・３５  圧縮音声対応信号処理部、２６・３６  ＤＳＤ対応信号処理部、２８・３８  Ｄ／Ａ・増幅回路、２９-1〜２９-n・３９-1〜３９-N  スピーカ端子
【図１】
2009033649.tif 000003
【図２】
2009033649.tif 000004
【図３】
2009033649.tif 000005
【図４】
2009033649.tif 000006
【図５】
2009033649.tif 000007
【図６】
2009033649.tif 000008
【図７】
2009033649.tif 000009
【図８】
2009033649.tif 000010
【図９】
2009033649.tif 000011
【図１０】
2009033649.tif 000012
【図１１】
2009033649.tif 000013
【図１２】
2009033649.tif 000014
【図１３】
2009033649.tif 000015
【図１４】
2009033649.tif 000016
【図１５】
2009033649.tif 000017
【図１６】
2009033649.tif 000018
【図１７】
2009033649.tif 000019
【図１８】
2009033649.tif 000020
【図１９】
2009033649.tif 000021
【図２０】
2009033649.tif 000022